(57)【要約】【課題】  丈夫で高級感があり、完成した作品を展示する場合においても、高級感を楽しむことができるジグソーパズルを提供する。【解決手段】  ジグソーパズル1は、雌雄噛合部を有する輪郭形状の複数のピース2を備え、当該ピース2は、表面層11と、木製層12,13,14と、裏面層15とを敷設して貼着加工した複数の層から形成されたものであり、表面層11は、印刷面の表面をビニールシート加工されたものであり、木製層12,13,14は、弾性を有する木材と剛性を有する木材とを木目の向きを変えて敷設貼付されているものであり、裏面層15は、木目を印刷されたシールで形成され、ピース2は複数の層からなる板を打ち抜くことにより形成されているものである。【選択図】      図２
0003127951.tif 000002
【実用新案登録請求の範囲】
【請求項１】
雌雄噛合部を有する輪郭形状の複数のピースを備え、当該ピースは、表面層と、木製層と、裏面層とを敷設して貼着加工した複数の層から形成されていることを特徴とするジグソーパズル。
【請求項２】
前記表面層は、印刷面の表面がビニールシート加工されていることを特徴とする請求項１に記載のジグソーパズル。
【請求項３】
前記木製層は、弾性を有する木材と剛性を有する木材とを木目の向きを変えて敷設貼付されたものであることを特徴とする請求項１又は請求項２に記載のジグソーパズル。
【請求項４】
前記裏面層は、木目を印刷されたシールで形成されていることを特徴とする請求項１乃至請求項３のいずれかに記載のジグソーパズル。
【請求項５】
前記ピースは複数の層からなる板を打ち抜くことにより形成されていることを特徴とする請求項１乃至請求項４のいずれかに記載のジグソーパズル。
【考案の詳細な説明】
【技術分野】
【０００１】
本考案は、木製のジグソーパズルに関する。
【背景技術】
【０００２】
雌雄噛合部を有する所要の輪郭形状に打ち抜きカットされた複数のピースを組み合わせて、一つの大きな絵や模様、風景等を作成するジグソーパズルに関して従来より多くの商品が発売され、又、提案がなされている。
【０００３】
このようなジグソーパズルとして一般的なものは、ボール紙の表面に絵を印刷したものを打ち抜きカットしたものであるが、例えば、登録実用新案公報第３０２０９１０号（特許文献１）に示すように、厚紙の表面にコルクシートを貼付けているものや、特開平７−３１３７２９号公報（特許文献２）に示すように、透光性樹脂基板を用いたもの等があり、ジグソーパズルを利用する者に楽しみを与えることができるように様々なアイディアが提案されている。
【特許文献１】登録実用新案公報第３０２０９１０号
【特許文献２】特開平７−３１３７２９号公報
【考案の開示】
【考案が解決しようとする課題】
【０００４】
本考案は、丈夫で高級感があり、且つ、木の香りによってヒーリング効果を与えることのできる木製のジグソーパズルを提供することを目的としている。
【課題を解決するための手段】
【０００５】
本考案のジグソーパズル(1)は、雌雄噛合部を有する輪郭形状の複数のピース(2)を備え、当該ピース(2)は、表面層(11)と、木製層(12,13,14)と、裏面層(15)とを敷設して貼着加工した複数の層から形成されたものである。
【０００６】
又、表面層(11)は、印刷面の表面がビニールシート加工されたものであり、木製層(12,13,14)は、弾性を有する木材と剛性を有する木材とを木目の向きを変えて敷設貼付されているものである。
【０００７】
更に、裏面層(15)は、木目を印刷されたシールで形成され、ピース(2)は複数の層からなる板を打ち抜くことにより形成されているものである。
【考案の効果】
【０００８】
本考案によれば、丈夫で高級感があり、且つ、木の香りによってヒーリング効果を与えることのできる木製のジグソーパズルを提供することができる。
【考案を実施するための最良の形態】
【０００９】
本考案のジグソーパズル1は、雌雄噛合部を有する輪郭形状の複数のピース2を備え、表面層11と、木製層12,13,14と、裏面層15とを敷設して貼着加工した複数の層から形成されたものである。
【００１０】
又、表面層11は、印刷面の表面をビニールシート加工されたものであり、木製層12,13,14は、弾性を有する木材と剛性を有する木材とを木目の向きを変えて敷設貼付されているものである。
【００１１】
更に、裏面層15は、木目を印刷されたシールで形成され、ピース2は複数の層からなる板を打ち抜くことにより形成されているものである。
【００１２】
本最良の形態のジグソーパズル1によれば、ヒーリング効果を発揮する香りが高く、且つ、丈夫で高級感がある木製のジグソーパズルを提供することができるものである。
【実施例】
【００１３】
以下、本考案の実施例にかかるジグソーパズルについて図に基づいて詳説する。図１に示すように、本考案のジグソーパズル1は、絵や写真等が印刷された板を雌雄噛合部を有する所要の輪郭形状に打ち抜きカットすることにより複数のピース2を形成するものである。
【００１４】
そして、ピース2は、図２に示すように、表面層11と、三層からなる木製層と、裏面層15の五層からなるものである。
この表面層11は、表面に絵や写真等が印刷されたシートの表面をポリプロピレン等のビニールシートを塗着加工することでコートしたものであり、表面をコートしたことにより印刷面がこすれて印刷が剥離することや色落ちすることが無く、鮮明な画像のままジグソーパズル1を完成させることができるものである。
【００１５】
又、木製層は、弾性を有する木材により形成された第一木製層12及び第三木製層14と、剛性を有する木材により形成された第二木製層13とから形成されており、第一木製層12、第二木製層13、第三木製層14の順に敷設貼付されているものである。このように、剛性を有する中間層を弾性を有する層で挟み込むように形成することにより、貼付部が剥離することを防止でき、柔軟性に富む板を提供することができる。又、木製のため木目が存在するので、複数の層で木目の向きを変えて配置することにより木目に沿って割れることを防止でき、耐性の高い板を提供することができるものである。
【００１６】
又、裏面層15は、木目が印刷されたシールであり、完成したジグソーパズル1を裏面側から見た場合においても木目が描かれているため、一般的なジグソーパズルのように、裏面側には全く模様の描かれていないものに比べて高級感を与えることができるものである。
【００１７】
そして、本実施例のジグソーパズル1によれば、木製層を有しているため、需要者がジグソーパズル1を購入してパズルの袋を開けたときに木独特の香りが漂い、香りを楽しみながらパズルを楽しむことができ、高級感を感じることができるものである。
【００１８】
又、表面層11にビニールシート加工を施しているため、印刷面を直接触れることが無く、印刷の剥離や色落ちを防止することができ、鮮明な画像のままジグソーパズルを完成させることができるものである。
【００１９】
更に、木製のため、ピース2を作成するために打ち抜きカットをする場合においてもカット断面の変形が無く、このためにピース2同士の勘合がよく、糊等を使用せずともピース2がバラバラになることがないため、糊等を使用せずに完成したジグソーパズル1をパネル等にセットすることができると共に、木ならではの硬質感により表面が平坦に保たれ、ジグソーパズル1の仕上がりも平坦になる。又、ジグソーパズル1の完成時にピース2同士の隙間が少なく、仕上がりが綺麗なジグソーパズル1を提供することができるものである。
【図面の簡単な説明】
【００２０】
【図１】本考案の実施例にかかるジグソーパズルの斜視図。
【図２】本考案の実施例にかかるピースの断面図。
【符号の説明】
【００２１】
1  ジグソーパズル                    2  ピース
11  表面層                           12  第一木製層
13  第二木製層                       14  第三木製層
15  裏面層
【図１】
0003127951.tif 000003
【図２】
0003127951.tif 000004
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
雌雄噛合部を有する輪郭形状の複数のピースを備え、当該ピースは、表面層と、木製層と、裏面層とを敷設して貼着加工した複数の層から形成されていることを特徴とするジグソーパズル。
【請求項２】
前記表面層は、印刷面の表面がビニールシート加工されていることを特徴とする請求項１に記載のジグソーパズル。
【請求項３】
前記木製層は、弾性を有する木材と剛性を有する木材とを木目の向きを変えて敷設貼付されたものであることを特徴とする請求項１又は請求項２に記載のジグソーパズル。
【請求項４】
前記裏面層は、木目を印刷されたシールで形成されていることを特徴とする請求項１乃至請求項３のいずれかに記載のジグソーパズル。
【手続補正２】
【補正対象書類名】明細書
【補正対象項目名】０００７
【補正方法】変更
【補正の内容】
【０００７】
更に、裏面層(15)は、木目を印刷されたシールで形成されているものである。